【手続補正書】
【提出日】平成16年11月30日(2004.11.30)
【手続補正１】
【補正対象書類名】特許請求の範囲
【補正対象項目名】全文
【補正方法】変更
【補正の内容】
【特許請求の範囲】
【請求項１】
可撓性容器であって、該可撓性容器は、以下：
複数のパネルであって、該パネルは、共に接合されて、スリーブが形成され、それぞれ、末端を有し、該末端は、該スリーブの一端にて、想像面を規定するように、協同する、パネル；
第１の末端パネルであって、該末端パネルは、該スリーブの該一端で、該パネルに連結されており、そして該第１の末端パネルが折り畳まれていない位置にある場合に該想像面を越えて伸長している少なくとも１個の部分を有する、第１の末端パネル；および
第２の末端パネルであって、該末端パネルは、該スリーブの反対端で、該パネルに連結されている、第２の末端パネル、
を備え、ここで、該複数のパネルおよび該末端パネルは、閉鎖された可撓性容器を形成し、該可撓性容器は、少なくとも約２００リットルの該可撓性容器の内部容量に対する滅菌障壁を維持し得る、可撓性容器。
【請求項２】
前記パネルが、多角形スリーブを形成する、請求項１に記載の容器。
【請求項３】
前記パネルが、それぞれ、第二末端を有し、該第二末端が、協同して、前記スリーブの反対端で第二想像面を規定し、前記容器が、さらに、第二末端パネルを含み、該第二末端パネルが、該スリーブの該他端で、該パネルに連結され、該第二末端パネルが、該第二想像面を越えて伸長している少なくとも１個の部分を有する、請求項１に記載の容器。
【請求項４】
前記部分が、前記スリーブから外向きに伸長している、請求項１に記載の容器。
【請求項５】
前記可撓性容器が折り畳まれた位置にある場合に、前記複数のパネルの前記第１および第２の反対側のパネルがそれらの上部で折り畳まれている、請求項１に記載の容器。
【請求項６】
前記複数のパネルが、４枚のパネルを含み、該パネルが、協同的に、スリーブを形成し、該スリーブが、ほぼ長方形の断面を有する、請求項１に記載の容器。
【請求項７】
２枚の対向パネルが、ガセットパネルである、請求項６に記載の容器。
【請求項８】
前記ガセットパネルが、ガセット折り目を有する、請求項７に記載の容器。
【請求項９】
前記第１および第２の末端パネルのうちの少なくとも１つが、前記複数のパネルと隣接している、請求項１に記載の容器。
【請求項１０】
前記第１の末端パネルが、複数の連結部材を含む、請求項１に記載の容器。
【請求項１１】
前記連結部材が、点に集中している、請求項１０に記載の容器。
【請求項１２】
前記連結部材が、線に集中している、請求項１０に記載の容器。
【請求項１３】
前記連結部材が、多角形に集中している、請求項１０に記載の容器。
【請求項１４】
前記パネルの１枚が、ポートを有する、請求項１に記載の容器。
【請求項１５】
前記ポートが、そこに連結されたポート栓を有する、請求項１に記載の容器。
【請求項１６】
前記ポート栓が、以下：
チューブであって、該チューブは、第一末端および第二末端を有し、該第一末端は、該ポートと連結されるように適合されている、チューブ；
プラグであって、該プラグは、該チューブの該第二末端に挿入され、該プラグは、気体透過性多孔性材料から作製される、プラグ；
カバーであって、該カバーは、第一部材および第二部材を有し、該チューブの該第二末端は、該部材間に位置付けられ、該部材は、それらの各周端で、共に密封されている、カバー；ならびに
弾性バンドであって、該弾性バンドは、該カバーおよび該チューブの周りで包まれている、弾性バンド、
を備える、請求項１５に記載の容器。
【請求項１７】
可撓性容器であって、以下：
複数のパネルであって、該パネルは、共に接合されて、スリーブが形成され、それぞれ、末端を有し、該末端は、該スリーブの一端にて、想像面を規定するように、協同する、パネル；
第１の末端パネルであって、該末端パネルは、該スリーブの該一端で、該パネルに連結されており、そして複数の集中面を有し、該面が、該第１の末端パネルが折り畳まれていない位置にある場合に該想像面を越えて伸長している少なくとも１個の部分を有する、第１の末端パネル；および
第２の末端パネルであって、該末端パネルは、該スリーブの他端で、該パネルに連結されている、第２の末端パネル、
を備え、ここで、該複数のパネルおよび該末端パネルは、閉鎖された可撓性容器を形成し、該可撓性容器は、少なくとも約２００リットルの該可撓性容器の内部容量に対する滅菌障壁を維持し得る、可撓性容器。
【請求項１８】
前記第２端のパネルが、前記スリーブから外向きに伸長している複数の集中面を有する、請求項１７に記載の容器。
【請求項１９】
前記可撓性容器が折り畳まれた位置にある場合に、前記複数のパネルの前記第１および第２の反対側のパネルがそれらの上部で折り畳まれている、請求項１７に記載の容器。
【請求項２０】
前記パネルが、それぞれ、第二末端を有し、該第二末端が、協同して、前記第２末端パネルを有する前記スリーブの端で第二想像面を規定し、前記容器が、さらに、第二末端パネルを含み、該第二末端パネルが、該スリーブの該他端で、該パネルに連結され、そして複数の集中面を有し、該面が、該第二想像面を越えて伸長している少なくとも１個の部分を有する、請求項１７に記載の容器。
【請求項２１】
大容量可撓性容器であって、該大容量可撓性容器は、無菌状態で維持するべき流体を含有でき、そして以下：
第一パネル、第二パネル、第三パネルおよび第四パネルであって、該パネルは、共に連結されて、容器構造を形成し、一緒に連結されたパネルの間かつ該容器構造の上端よりも下にある連結線は、実質的に突出を有さず、該第一パネルは、中心セグメントを有し、該中心セグメントは、末端セグメントに隣接しており、そして長手縁部を有し、該末端セグメントは、テーパ状縁部を有し、該テーパ状縁部は、該長手縁部から伸長しており、該長手縁部と該テーパ状縁部との間では、角度が規定され、該角度は、約１３５．０１°〜約１３８°の範囲である、
を備える、大容量可撓性容器。
【請求項２２】
前記角度が、約１３５．５°〜約１３６．５°の範囲である、請求項２１に記載の容器。
【請求項２３】
前記角度が、１３６°である、請求項２１に記載の容器。
【請求項２４】
可撓性容器であって、以下：
複数のパネルであって、該パネルは、共に接合されて、スリーブが形成され、それぞれ、末端を有し、該末端は、該スリーブの一端にて、想像面を規定するように、協同する、パネル；および
末端パネルであって、該末端パネルは、該スリーブの該一端で、該パネルに連結されており、そして該想像面を越えて伸長している少なくとも１個の部分を有する、末端パネル、
を備え、ここで、該パネルのうちの一つがポートを有し、該ポートにはポート栓が連結されており、該ポート栓は、以下：
チューブであって、該チューブは、第一末端および第二末端を有し、該第一末端は、該ポートと連結されるように適合されている、チューブ；
プラグであって、該プラグは、該チューブの該第二末端に挿入され、該プラグは、気体透過性多孔性材料から作製される、プラグ；
カバーであって、該カバーは、第一部材および第二部材を有し、該チューブの該第二末端は、該部材間に位置付けられ、該部材は、それらの各周端で、共に密封されている、カバー；ならびに
弾性バンドであって、該弾性バンドは、該カバーおよび該チューブの周りで包まれている、弾性バンド、
を備える、可撓性容器。
【請求項２５】
可撓性容器であって、以下：
複数のパネルであって、該複数のパネルはほぼ長方形の形状の容器を形成し、該容器は、想像面を規定する一端に外部縁部を有する、複数のパネル；
該容器の該一端にある該複数のパネルの末端パネルであって、該想像面を越えて外側に延びている、末端パネル；および
該複数のパネルの上部パネル上にある間隔を空けて配置された複数のハンガーコネクタであって、該ハンガーコネクタは、該上部パネルの中心と該上部パネルの外側周辺縁との間に配置される、ハンガーコネクタ、
を備える、可撓性容器。
【請求項２６】
前記複数のパネルが、少なくとも約２００リットルであるように前記可撓性容器の内部容量を規定し、該パネルのうちの一つがポートを有する、請求項２５に記載の可撓性容器。
【請求項２７】
可撓性容器であって、以下：
複数のパネルであって、該複数のパネルは一緒に連結されて少なくとも約２００リットルの内部空間を規定し、かつ該内部空間に対する滅菌障壁を維持し得る、複数のパネル、
を備え、該パネルの少なくとも１つは、該内部空間へとアクセスするポートを有し、該可撓性容器は、該容器自体が折り畳まれた崩壊位置および折り畳まれていない展開位置を有し、該パネルのうちの少なくとも１つは、該内部空間から外側に向かって延びる複数のガセット末端セグメントを有する、可撓性容器。
【請求項２８】
前記第１、第２、第３、および第４のパネルが少なくとも２００リットルの前記容器構造の内部容量を規定する、請求項２１に記載の可撓性容器。
【請求項２９】
前記可撓性容器の上部側に、間隔を空けて配置された複数のハンガー連結位置をさらに備え、該ハンガー連結位置は、該上部側の外部縁より内側に配置されている、請求項１に記載の可撓性容器。
【請求項３０】
前記想像面を越えて外側に延びる前記第１の末端パネルが、前記可撓性容器の底部側である、請求項１に記載の可撓性容器。
【請求項３１】
前記想像面を越えて外側に延びる前記第１の末端パネルが、ほぼ垂直方向を有する、請求項１に記載の可撓性容器。
【請求項３２】
前記可撓性容器の上部側に、間隔を空けて配置された複数のハンガー連結位置をさらに備え、該ハンガー連結位置は、該上部側の外部縁より内側に配置されている、請求項１７に記載の可撓性容器。
【請求項３３】
前記想像面を越えて外側に延びる前記第１の末端パネルが、前記可撓性容器の底部側である、請求項１７に記載の可撓性容器。
【請求項３４】
前記想像面を越えて外側に延びる前記第１の末端パネルが、ほぼ垂直方向を有する、請求項１７に記載の可撓性容器。
【請求項３５】
各々のハンガーコネクタが、前記上部パネルの中心から各外部角への対角線に沿って配置されており、かつ該外部角から測定した場合に該対角線の約３５％〜約６５％の間の長さに配置されている、請求項２５に記載の可撓性容器。